【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
装置であって、
蒸気を発生させるように構成されている蒸気生成器ユニット、
前記蒸気生成器ユニットと電気的に通信するコントローラ、
第１の端部、および、前記蒸気生成器ユニットによって発生する前記蒸気によって生成される蒸気を出力するように構成されている本体出口を画定する第２の端部を備える、本体と、
前記本体の前記第１の端部に取り付けられる延伸部であり、前記延伸部は、ハンドル部分、および、前記ハンドル部分と前記本体の前記第１の端部との間に延伸するシャフトを備える、延伸部と、
前記本体の前記第２の端部に取り外し可能に取り付けられるヘッドであり、前記ヘッドは、前記本体出口と流体連通するヘッド入口を備え、蒸気を、前記本体出口から前記ヘッドを通じて、洗浄するために前記ヘッドの第１の表面によって接触されるべき洗浄面へ向かわせるように構成されている、ヘッドと
を備え、
前記本体は、前記本体の前記第２の端部に接続されているスクラバ部材を備え、
前記ヘッドを前記本体の前記第２の端部に取り付けることによって、前記スクラバ部材が前記洗浄面に達することが防止され、
前記ヘッドを前記本体の前記第２の端部から取り外すことによって、前記スクラバ部材が前記洗浄面に達することが可能になり、
前記コントローラは、第２のモードにおける第２の蒸気速度とは異なる第１の速度において蒸気を発生させる第１のモードにおいて、前記蒸気生成器ニットを動作させるように構成されている、装置。
【請求項２】
前記ヘッドは、前記洗浄面に蒸気を出力するように構成されている複数の開口を備える、請求項１に記載の装置。
【請求項３】
前記スクラバ部材は、前記本体の前記第２の端部に対して旋回可能である、請求項１記載の装置。
【請求項４】
装置であって、
蒸気を出力するように構成されている本体出口、
後退状態または展開状態になされるように構成されているスクラバ部材、および
前記スクラバ部材を展開または後退させるように構成されている作動機構を備える、本体と、
前記本体に取り外し可能に結合されるヘッドであり、前記ヘッドは、
前記本体出口と流体連通するヘッド入口、および
前記ヘッド入口と流体連通するヘッド出口を備える、ヘッドと
を備え、
前記ヘッドが前記本体に結合されているとき、前記スクラバ部材は後退状態にあり、前記ヘッド入口は蒸気を受け入れるように構成され、前記ヘッド出口は前記装置の外部に蒸気を出力するように構成され、
前記ヘッドが本体から取り外されているとき、蒸気が前記本体出口から前記装置の外部へと出力され、前記スクラバ部材は、前記作動機構が作動することによって展開状態になるように構成される、装置。
【請求項５】
前記スクラバ部材が前記展開状態にあるとき、前記スクラバ部材は前記本体から離れるように延伸し、前記スクラバ部材が後退状態にあるとき、前記スクラバ部材は前記本体に向かって移動する、請求項４に記載の装置。
【請求項６】
前記作動機構が作動する距離は、前記スクラバ部材が前記本体から離れるように延伸する距離と実質的に同様である、請求項５に記載の装置。
【請求項７】
前記作動機構および前記スクラバ部材は、互いに対して実質的に同軸である、請求項４に記載の装置。
【請求項８】
装置であって、
蒸気を出力するように構成されている本体出口を備える本体と、
前記本体に結合されるヘッドであり、前記ヘッドは、
前記本体出口と流体連通するヘッド入口、ならびに
前記ヘッド入口と流体連通する第１のヘッド出口および第２のヘッド出口を備える、ヘッドと
を備え、
前記第１のヘッド出口は前記ヘッドの第１の部分を通じて画定され、前記ヘッドの前記第１の部分は第１の軸を画定し、前記第１のヘッド出口は、第１の動作モードにおいて蒸気を放出するように構成されており、
前記第２のヘッド出口は前記ヘッドの第２の部分を通じて画定され、前記ヘッドの前記第２の部分は第２の軸を画定し、前記第２のヘッド出口は、第２の動作モードにおいて蒸気を放出するように構成されており、
前記第１の軸および前記第２の軸が第１の角度で交差するとき、蒸気は前記第１の動作モードにおいて放出され、前記第１の軸および前記第２の軸が第２の角度で交差するとき、蒸気は前記第２の動作モードにおいて放出される、装置。
【請求項９】
前記第１の角度および前記第２の角度は異なる鋭角である、請求項８に記載の装置。
【請求項１０】
前記第１の角度および前記第２の角度は異なる鈍角である、請求項８に記載の装置。
【請求項１１】
前記第１の動作モードと前記第２の動作モードとの間で切り替えるように構成されている機構をさらに備える、請求項８に記載の装置。
【請求項１２】
前記ヘッドの前記第２の部分は、前記機構と連通する部材を備え、
前記第１の動作モードにおいて、前記機構は、前記ヘッド入口と前記第２のヘッド出口との間の流体連通を妨げ、それによって、前記ヘッド入口と前記第１のヘッド出口との間の流体連通を可能にし、
前記第２の動作モードにおいて、前記部材が作動することによって、前記機構は、前記ヘッド入口と前記第１のヘッド出口との間の流体連通を妨げられ、それによって、前記ヘッド入口と前記第２のヘッド出口との間の流体連通が可能になる、請求項１１に記載の装置。
【請求項１３】
前記第１のヘッド出口は、前記装置の正面から蒸気を放出し、前記第２のヘッド出口は、前記装置の底部から蒸気を放出する、請求項８に記載の装置。
【請求項１４】
前記ヘッド入口および前記第１のヘッド出口は、実質的に同様の方向に沿っており、前記ヘッド入口および前記第２のヘッド出口は実質的に互いに垂直である、請求項８に記載の装置。
【請求項１５】
前記本体は第１の端部および第２の端部を備え、前記第１の端部は本体入口を備え、前記第２の端部は前記本体出口を備える、請求項８に記載の装置。
【請求項１６】
前記ヘッドは開口および陥凹部を画定するように構成されており、前記本体の前記第１の端部は、前記陥凹部上に受け入れられ、前記本体の前記第２の端部は前記開口内に受け入れられる、請求項１５に記載の装置。
【請求項１７】
前記本体は、前記ヘッドから前記本体を分離するための、前記第１の端部の周囲の第１のボタン、または、前記本体入口から前記本体出口への蒸気の前記放出を制御するための、前記第２の端部の周囲の第２のボタンをさらに備える、請求項１６に記載の装置。
【請求項１８】
装置であって、
蒸気を発生させるように構成されている蒸気生成ユニットと、
第１の端部および第２の端部を備える本体であり、前記第２の端部は、蒸気を出力する蒸気出口を備える、本体と、
前記本体の前記第１の端部に取り外し可能に取り付けられる延伸部であり、前記延伸部は、前記ハンドル、および、前記本体の前記第１の端部と前記ハンドルとの間に延伸するシャフトを備える、延伸部と、
前記本体の前記第２の端部に取り外し可能に取り付けられるアタッチメントであり、前記アタッチメントは、蒸気を受け入れるために、前記本体の前記蒸気出口と流体連通する蒸気入口を備える、アタッチメントと、
前記蒸気生成ユニットを第１の蒸気モードまたは第２の蒸気モードにおいて動作させるように構成されているコントローラであり、
前記延伸部が前記本体に取り付けられているとき、前記コントローラは、前記蒸気生成ユニットを、前記第１の蒸気モードの第１の蒸気速度において蒸気を発生させる前記第１の蒸気モードにおいて動作させるように構成され、
前記延伸部が前記本体から取り外されているとき、前記コントローラは、前記蒸気生成ユニットを、前記第２の蒸気モードの第１の蒸気速度において蒸気を発生させる前記第２の蒸気モードにおいて動作させるように構成されており、前記第１の蒸気モードの前記第１の蒸気速度と、前記第２の蒸気モードの前記第１の蒸気速度とは異なる、コントローラと
を備える、装置。
【請求項１９】
前記延伸部が前記本体に取り付けられているか否かを検出し、前記コントローラと通信するように構成されているセンサをさらに備える、請求項１８に記載の装置。
【請求項２０】
前記センサはホール効果センサを含み、前記延伸部は前記ホール効果センサによって検出可能なトリガを含む、請求項１９に記載の装置。
【請求項２１】
前記延伸部が前記本体に取り付けられているとき、前記コントローラは、前記蒸気生成ユニットを、第２の蒸気速度において蒸気を発生させる前記第１の蒸気モードにおいて動作させるようにさらに構成されており、前記第１の蒸気モードの前記第１の蒸気速度および前記第２の蒸気速度は、互いに異なり、また、前記第２の蒸気モードの前記第１の蒸気速度とも異なる、請求項１８に記載の装置。
【請求項２２】
前記第１の蒸気モードの前記第１の蒸気速度および前記第２の蒸気速度は、それぞれ高い設定および低い設定に対応する、請求項２１に記載の装置。
【請求項２３】
前記コントローラと通信し、前記高い設定と前記低い設定との間で切り替えるように構成されている制御パネル・ユーザ・インターフェースをさらに備える、請求項２２に記載の装置。
【請求項２４】
前記高い設定における前記第１の蒸気モードの前記第１の蒸気速度は、約２８グラム毎分の蒸気送達速度をもたらし、前記低い設定における前記第１の蒸気モードの前記第２の蒸気速度は、約２０グラム毎分の蒸気送達速度をもたらす、請求項２２に記載の装置。
【請求項２５】
前記第２の蒸気モードの前記第１の蒸気速度は、約２２グラム毎分の蒸気送達速度をもたらす、請求項２２に記載の装置。
【請求項２６】
前記コントローラは、
前記延伸部が前記本体の前記第１の端部に取り付けられたとき又は取り外されたときに始動される待機モードにおいて動作するように構成され、
前記待機モードにおいて、前記コントローラは、前記延伸部が前記本体の前記第１の端部に取り付けられている場合には前記第１の蒸気モードにおいて蒸気発生を開始し、前記延伸部が前記本体の前記第１の端部から取り外されている場合には前記第２の蒸気モードにおいて蒸気発生を開始するように、前記装置のユーザ・インターフェースからの信号によって動作されるように構成される、請求項１８に記載の装置。